(57)【特許請求の範囲】
【請求項１】
衣類を収容する洗濯槽と、
この洗濯槽を内包する外槽と、
運転内容の設定を行うダイヤルと、
このダイヤルに取り付けられ、前記ダイヤルの回転に伴い信号を出力するロータリエンコーダと、
運転内容に対応して点灯する表示素子を備えた洗濯機において、
前記ロータリエンコーダと前記表示素子とが、共通の基板に配置され、
前記ロータリエンコーダの周方向を全体に渡って覆う仕切り壁を有し、
前記基板の上に、前記仕切り壁の外側から内側にかけて樹脂が充填され、
前記仕切り壁の内側の樹脂の高さの方が、外側の樹脂の高さよりも低く、
前記ロータリエンコーダの先端側が覆われるよう、前記仕切り壁に樹脂浸入防止部品が装着された状態で、前記樹脂は前記基板の上に充填されたものであることを特徴とする洗濯機。
【請求項２】
衣類を収容する洗濯槽と、
この洗濯槽を内包する外槽と、
運転内容の設定を行うダイヤルと、
このダイヤルに取り付けられ、前記ダイヤルの回転に伴い信号を出力するロータリエンコーダと、
運転内容に対応して点灯する表示素子を備えた洗濯機において、
前記ロータリエンコーダと前記表示素子とが、共通の基板に配置され、
前記ロータリエンコーダの周方向を全体に渡って覆う仕切り壁を有し、
前記基板の上に、前記仕切り壁の外側から内側にかけて樹脂が充填され、
前記仕切り壁の先端側に着脱部品を保持するための係合部が設けられており、
前記仕切り壁は、前記樹脂の表面の高さから前記係合部の高さまで、空気が漏れないように隙間無く構成され、
前記ロータリエンコーダの先端側が覆われるよう、前記仕切り壁の前記係合部に樹脂浸入防止部品の係止部が嵌合された状態で、前記樹脂は前記基板の上に充填されたものであることを特徴とする洗濯機。
【請求項３】
請求項２において、
前記係合部にゴムパッキンが取り付けられていることを特徴とする洗濯機。
【請求項４】
運転内容の設定を行うダイヤルと、
前記ダイヤルの回転に伴い信号を出力するロータリエンコーダと、
所定の運転内容に対応して表示する表示素子を、洗濯機の操作パネルに取り付ける取付方法において、
前記ロータリエンコーダと前記表示素子を共通の基板に配置し、
前記ロータリエンコーダの先端側が覆われるよう、前記ロータリエンコーダの周方向を全体に渡って覆う仕切り壁に、樹脂浸入防止部品を装着し、
前記仕切り壁の外側から樹脂を充填した後、前記樹脂浸入防止部品を取り外し、
前記ロータリエンコーダと同軸に前記ダイヤルを装着することを特徴とする取付方法。
【発明の詳細な説明】
【技術分野】
【０００１】
本発明は、洗濯機に係り、特にダイヤル式のコントローラに施す防湿処理に関するものである。
【背景技術】
【０００２】
洗濯機等の操作パネルに設けられたダイヤル式のコントローラにおいては、一般に、基板実装部品の端子等の腐食防止のため、ウレタン樹脂等を用いて防湿処理を行っている。例えば、下記特許文献１には、ダイヤルの内側に組み込まれたロータリエンコーダと、ＬＥＤからなる表示素子とを、それぞれ別々の基板に設置し、表示素子を設置した基板に樹脂を用いて防湿処理した、洗濯機の操作パネルの構造が開示されている。
【先行技術文献】
【特許文献】
【０００３】
【特許文献１】特開２０１１−１３６２２１号公報
【発明の概要】
【発明が解決しようとする課題】
【０００４】
上述した従来の操作パネルでは、ロータリエンコーダと表示素子とが別々の基板に設置されているため、両基板を接続する配線が必要であり、また、両基板それぞれに防湿処理も必要となり、生産性が高くない。
【０００５】
本発明の目的は、防湿を図りつつ生産性を高めた設定ダイヤルを備える洗濯機を提供することにある。
【課題を解決するための手段】
【０００６】
衣類を収容する洗濯槽と、この洗濯槽を内包する外槽と、運転内容の設定を行うダイヤルと、このダイヤルに取り付けられ、前記ダイヤルの回転に伴い信号を出力するロータリエンコーダと、運転内容に対応して点灯する表示素子を備えた洗濯機において、前記ロータリエンコーダと前記表示素子とが、共通の基板に配置され、前記ロータリエンコーダの周方向を全体に渡って覆う仕切り壁を有し、前記基板の上に、前記仕切り壁の外側から内側にかけて樹脂が充填され、前記仕切り壁の内側の樹脂の高さを、外側の樹脂の高さよりも低くし、前記ロータリエンコーダの先端側が覆われるよう、前記仕切り壁に樹脂浸入防止部品が装着された状態で、前記樹脂は前記基板の上に充填されたものである。
【発明の効果】
【０００７】
本発明によれば、防湿を図りつつ生産性を高めた設定ダイヤルを備える洗濯機が提供できる。
【図面の簡単な説明】
【０００８】
【図１】本発明の実施例に係るドラム式洗濯機の外観を示す図であり、（ａ）は平面図、（ｂ）は正面図である。
【図２】本発明の実施例に係るドラム式洗濯機の操作パネルを拡大した図である。
【図３】本発明の実施例に係るドラム式洗濯機の操作パネルの分解図である。
【図４】樹脂注入直前における基板上の構造の詳細を示す図である（樹脂注入補助キャップ装着状態）。
【図５】樹脂注入直後における基板上の構造の詳細を示す図である（樹脂注入補助キャップ装着状態）。
【図６】樹脂注入後、樹脂注入補助キャップを取り外し、コース設定ダイヤルを装着した状態における、基板上の構造の詳細を示す図である。
【発明を実施するための形態】
【０００９】
以下、本発明の実施例について、図面を用いて説明する。
【００１０】
図１は、本実施例に係るドラム式洗濯機１００の外観を示す図であり、（ａ）は平面図、（ｂ）は正面図である。
【００１１】
図１に示すように、ドラム式洗濯機１００は、外郭が鋼板と樹脂成型品とを組み合わせて構成された外枠１を有している。外枠１は、ベース１ｆを備えており、左右の側板１ａ、１ｂ、前面カバー１ｃ、背面カバー１ｄ及び上面カバー１ｅが、ベース１ｆの上方に取り付けられて、箱状の外枠１が形成されている。
【００１２】
前面カバー１ｃの略中央には、衣類等の洗濯物をドラム内に出し入れする投入口が形成されており、この投入口を介して洗濯物を出し入れする際に開閉されるドア７が、ヒンジ機構により開閉可能に取り付けられている。ドア７の右側には、ドア７のロック機構を解除するための取手７ａが設けられている。取手７ａを手前に引くことで、ロック機構が外れてドア７が開き、ドア７を前面カバー１ｃに押し付けることでロックされて閉じるようになっている。
【００１３】
また、外枠１の上部には、洗剤や仕上げ剤等を投入するための引出し式の洗剤ボックス（洗剤投入部）１１が配置され、この洗剤ボックス１１の右側には、操作パネル６が設けられている。
【００１４】
更に、図示しないが、ドラム式洗濯機１００の外枠１内に、衣類を収容する洗濯槽としてのドラムと、このドラムを内包する外槽とを備える。そして、ドラムに結合されたシャフトを駆動モータで回転することで、洗い工程、すすぎ工程、脱水工程などを行うことが可能となっている。尚、本実施例では、ドラム式洗濯機について述べるが、当然ながら乾燥機能の付いたものであっても良い。
【００１５】
この操作パネル６は、図２、図３に示す通り、電源スイッチ２、操作スイッチ３、コース設定ダイヤル４及び液晶表示部５等を備えている。ここで、操作スイッチ３は、洗い時間やすすぎ回数などを適宜変更するためのボタンであり、コース設定ダイヤル４は、念入りコースや毛布コース等の運転内容を適宜選択するものである。このコース設定ダイヤル４を回転させると、対応する運転コースが次々と切り替わり、該当する運転コース内容を示す場所にあるＬＥＤ等の表示素子８が点灯することで、利用者に知らせるようにしている。
【００１６】
また、コース設定ダイヤル４はロータリエンコーダ９と同軸に設置されており、コース設定ダイヤル４の回転に伴ってロータリエンコーダ９の回転部が回転すると、ロータリエンコーダ９の検出部がそれを検出する。このロータリエンコーダ９は、回転部に設けられた接点と出力端子に接続された接点とが接触することにより、位置信号を出力する。
【００１７】
次に、ロータリエンコーダ９等が設置される基板１０の構造に関し、図６を用いて説明する。
【００１８】
図６に示す通り、ＬＥＤ等の表示素子８の他、ロータリエンコーダ９や支持部材１１の底面が、共通の基板１０に配置されている。支持部材１１は、複数の表示素子８を挿入して支持するための素子装着部１１ａと、ロータリエンコーダ９の外周側に位置してその軸方向へ延びる環状壁面１１ｂと、この環状壁面１１ｂの先端側に設けられて着脱部品を保持するための係合部１１ｃを有する。この支持部材１１の凹状の係合部１１ｃには、ゴムパッキン１３が取り付けられているので、コース設定ダイヤル４の奥側からロータリエンコーダ９に対して水が浸入するのを防ぐことが可能である。
【００１９】
次に、図４〜図６を用いて、基板１０上に樹脂１４を充填し、実装部品を防湿するための処理に関し、説明する。
【００２０】
まず、表示素子８、ロータリエンコーダ９及び支持部材１１を、基板１０上に取り付ける（ステップＳ１）。
【００２１】
続いて、図４に示す通り、支持部材１１の係合部１１ｃに、樹脂浸入防止部品としての樹脂注入補助キャップ１５の係止部を嵌合して、ロータリエンコーダ９の先端側を覆う（ステップＳ２）。
【００２２】
その後、図５のように、環状壁面１１ｂよりも外周側であって、支持部材１１の上面に設けられた樹脂注入口１１ｄ（図示せず）から、ウレタン樹脂を注入する（ステップＳ３）。注入後、樹脂１４が基板１０の上面全体に行き渡り、支持部材１１の環状壁面１１ｂの底端と基板１０との隙間から、支持部材１１の環状壁面１１ｂの内周側へも樹脂１４が浸入する。しかし、支持部材１１の環状壁面１１ｂは、その底端から先端の係合部１１ｃまで隙間なく仕切り壁が形成されており、また、係合部１１ｃには、樹脂注入補助キャップ１５が装着されている。このため、樹脂１４の表面の高さ位置から樹脂注入補助キャップ１５にかけて空気の漏れが防止され、仕切り壁の内側へ浸入する樹脂１４の液面高さは、仕切り壁の外側の液面高さと比べて低くなる。つまり、ロータリエンコーダ９が存在する仕切り壁内側の領域は、気密状態となっているため、樹脂１４の液面が極端に上昇し難い。具体的には、樹脂注入時に、仕切り壁の外側の樹脂１４の高さがロータリエンコーダ９の台座の接合部よりも高くなっても、仕切り壁の内側の樹脂１４の高さがロータリエンコーダ９の台座の接合部よりも低く抑えられる。
【００２３】
ここで、台座の接合部からロータリエンコーダ９の部品内部に樹脂１４が浸入した場合、回転部に設けられた接点と出力端子に接続された接点との間の導電が妨げられ、ロータリエンコーダ９としての性能を損なってしまう可能性がある。しかし、上述のように仕切り壁の内側を気密状態とすることで、ロータリエンコーダ９の部品内部に樹脂１４が入り込むのが防止され、結果としてロータリエンコーダ９の信頼性が高められる。
【００２４】
次に、樹脂注入補助キャップ１５を取り外し、代わりにゴムパッキン１３を、支持部材１１の係合部１１ｃに装着する（ステップＳ４）。
【００２５】
最後に、図６に示す通り、コース設定ダイヤル４の係止部を、支持部材１１の摺動面部に当接させながら支持させ、コース設定ダイヤル４の底面中央凹部を、ロータリエンコーダ９の先端側の回転部に嵌合させる（ステップＳ５）。
【００２６】
上述のように、本実施例によれば、表示素子８とロータリエンコーダ９とが共通の基板１０に設置されるため、表示素子８とロータリエンコーダ９とを接続する配線が不要であり生産性が向上するだけでなく、軸出し調整の精度も高まる。また、表示素子８とロータリエンコーダ９とを共通の基板１０に設置した上で樹脂１４による防湿処理を施す場合でも、ロータリエンコーダ９の周方向を全体に渡って覆う仕切り壁を設けたので、ロータリエンコーダ９の部品内部に樹脂１４が浸入するのを防ぐことが可能となる。
【符号の説明】
【００２７】
１  外枠
２  電源スイッチ
３  操作スイッチ
４  コース設定ダイヤル
５  液晶表示部
６  操作パネル
７  ドア
８  表示素子
９  ロータリエンコーダ
１０  基板
１１  支持部材
１２  洗剤ボックス
１３  ゴムパッキン
１４  樹脂
１５  樹脂注入補助キャップ
【図１】
0005764512.tif 000002
【図２】
0005764512.tif 000003
【図３】
0005764512.tif 000004
【図４】
0005764512.tif 000005
【図５】
0005764512.tif 000006
【図６】
0005764512.tif 000007